(57)【要約】【課題】携帯端末で設定されたファックスの表紙やヘッダーで画像形成装置にファックスを送信させることを可能とする。【解決手段】  通信システム（画像処理システム）１００は、近距離無線通信によって通信可能な範囲内に携帯端末１０２とＭＦＰ１０１とが互いに近づいた時に、近距離無線通信とは異なる、無線ＬＡＮ１０４とネットワーク１０５による通信をＭＦＰ１０１と行うためのアドレスをＭＦＰ１０１から携帯端末１０２へ近距離無線通信で送信し、携帯端末１０２はアドレスを使用して無線ＬＡＮ１０４とネットワーク１０５による通信によって、設定された宛先をＭＦＰ１０１に送信し、原稿を読み取って生成された画像データを、ＭＦＰ１０１から設定された宛先に送信する。【選択図】図９
2020127226.tif 000002
【特許請求の範囲】
【請求項１】
携帯端末と画像処理装置とを含み、前記携帯端末と前記画像処理装置とが互いに通信可能な画像処理システムであって、
宛先を設定する設定手段と、
原稿を読み取る読取手段と、
近距離無線通信によって通信可能な範囲内に前記携帯端末と前記画像処理装置とが互いに近づいた時に、前記近距離無線通信とは異なる他の無線通信を前記画像処理装置と行うための接続情報を前記画像処理装置から前記携帯端末へ前記近距離無線通信で送信する第１の送信手段と、
前記設定手段によって設定された宛先を、前記第１の送信手段によって送信された接続情報を使用して前記携帯端末が前記他の無線通信によって前記画像処理装置に送信し、前記読取手段によって前記原稿を読み取って生成された画像データを、前記画像処理装置から前記設定手段によって設定された宛先に送信する第２の送信手段と
を備えることを特徴とする画像処理システム。
【請求項２】
前記携帯端末は、前記原稿の画像を読み取って生成された画像データを送信するためのデータ送信リクエストを前記画像処理装置に送信することを特徴とする請求項１に記載の画像処理システム。
【請求項３】
前記データ送信リクエストは、前記原稿の画像を読み取って生成された画像データをファクシミリ通信で前記宛先に送信するためのリクエストであることを特徴とする請求項２に記載の画像処理システム。
【請求項４】
画像処理装置と通信可能な携帯端末であって、
宛先を設定する設定手段と、
原稿を読み取る読取手段と、
近距離無線通信によって通信可能な範囲内に前記携帯端末と前記画像処理装置とが近づいた時に、前記近距離無線通信とは異なる他の無線通信を前記画像処理装置と行うための接続情報を前記画像処理装置から前記近距離無線通信で取得する取得手段と、
前記読取手段が前記原稿を読み取ることによって生成された画像データを、ファクシミリ通信によって前記画像処理装置から前記設定された宛先に送信させるために、前記読取手段による読取の指示を、前記取得手段によって取得した接続情報を使用して前記他の無線通信によって前記画像処理装置に送信する送信手段と
を備えることを特徴とする携帯端末。
【請求項５】
前記携帯端末は、前記原稿の画像を読み取って生成された画像データを前記宛先に送信するためのデータ送信リクエストを前記画像処理装置に送信することを特徴とする請求項４に記載の携帯端末。
【請求項６】
前記データ送信リクエストは、前記原稿の画像を読み取って生成された画像データをファクシミリ通信で前記宛先に送信するためのリクエストであることを特徴とすることを特徴とする請求項５に記載の携帯端末。
【請求項７】
画像処理装置と通信可能な携帯端末の制御方法であって、
宛先を設定する設定工程と、
原稿を読み取る読取工程と、
近距離無線通信によって通信可能な範囲内に前記携帯端末と前記画像処理装置とが近づいた時に、前記近距離無線通信とは異なる他の無線通信を前記画像処理装置と行うための接続情報を前記画像処理装置から前記近距離無線通信で取得する取得工程と、
前記読取工程で前記原稿を読み取ることによって生成された画像データを、ファクシミリ通信によって前記画像処理装置から前記設定された宛先に送信させるために、前記原稿の読取の指示を、前記取得した接続情報を使用して前記他の無線通信によって前記画像処理装置に送信する送信工程と
を備えることを特徴とする携帯端末の制御方法。
【請求項８】
請求項７に記載の制御方法をコンピュータに実行させるためのプログラム。
【発明の詳細な説明】
【技術分野】
【０００１】
本発明は、携帯端末及びその制御方法、プログラム、並びに画像処理システムに関する。
【背景技術】
【０００２】
近年、携帯端末の１つとしてスマートフォンと呼ばれる操作性の優れた機器が普及している。スマートフォンには、電話帳を内蔵しており、１つの氏名に、例えば自宅電話番号、携帯電話番号、会社ＦＡＸ番号などの複数の情報を登録できるようになっている。また、ユーザ自身の情報もプロフィール情報として、宛先と同様に複数の情報を登録することができるようになっている。
【０００３】
一方、画像形成装置は、ＦＡＸ送信時にヘッダー情報として送信元の情報を付けて送信する機能や、ＦＡＸ送信しようとした際にＦＡＸ送受信中で使用できない場合、予め登録された別のＦＡＸで代行送信する機能がある。
【０００４】
代行送信を行う際に、ＦＡＸ原稿データだけでなく、送信元データとしてＦＡＸ番号／名称なども代行ＦＡＸに送信し、代行ＦＡＸが依頼元のＦＡＸに成り代わってＦＡＸ送信するものもある（例えば、特許文献１参照）。
【０００５】
また、画像形成装置の操作部からの操作で表紙を付けて、ＦＡＸ送信を行う機能を持つものもある（例えば、特許文献２参照）。
【先行技術文献】
【特許文献】
【０００６】
【特許文献１】特開２００４−１８６９５９号公報
【特許文献２】特開２００３−２６４６５０号公報
【発明の概要】
【発明が解決しようとする課題】
【０００７】
しかしながら、上記従来技術では、ヘッダーとして付加される情報が送信元の画像形成装置の情報であるため、画像形成装置の情報は分かるがユーザの情報が分からないという課題がある。
【０００８】
また、ユーザの情報を付加しようとした場合、画像形成装置の操作部から手入力する必要があるため、手間がかかり、入力間違いをする可能性もあるといった課題がある。
【０００９】
本発明の目的は、携帯端末で設定されたファックスの表紙やヘッダーで画像形成装置にファックスを送信させることが可能な携帯端末で設定可能な携帯端末及びその制御方法、プログラム、並びに画像処理システムを提供することにある。
【課題を解決するための手段】
【００１０】
上記目的を達成するために、請求項１の画像処理システムは、携帯端末と画像処理装置とを含み、前記携帯端末と前記画像処理装置とが互いに通信可能な画像処理システムであって、宛先を設定する設定手段と、原稿を読み取る読取手段と、近距離無線通信によって通信可能な範囲内に前記携帯端末と前記画像処理装置とが互いに近づいた時に、前記近距離無線通信とは異なる他の無線通信を前記画像処理装置と行うための接続情報を前記画像処理装置から前記携帯端末へ前記近距離無線通信で送信する第１の送信手段と、前記設定手段によって設定された宛先を、前記第１の送信手段によって送信された接続情報を使用して前記携帯端末が前記他の無線通信によって前記画像処理装置に送信し、前記読取手段によって前記原稿を読み取って生成された画像データを、前記画像処理装置から前記設定手段によって設定された宛先に送信する第２の送信手段とを備えることを特徴とする。
【発明の効果】
【００１１】
本発明によれば、ファックスの表紙に関する設定に従い、表紙を示す表紙データを作成し、ファックスのヘッダーに関する設定に従い、ヘッダーを示すヘッダーデータを作成して、ユーザによりファックスを送信する指示を受け付けると、宛先情報と、表紙データまたはヘッダーデータとともに、原稿を読み取り、ファックスを送信する指示を画像形成装置に送信するので、携帯端末で設定されたファックスの表紙やヘッダーで画像形成装置にファックスを送信させることが可能となる。
【図面の簡単な説明】
【００１２】
【図１】本発明の実施の形態に係る通信システム（画像処理システム）の概略構成を示す図である。
【図２】図１におけるＭＦＰの概略構成を示す図である。
【図３】図１における携帯端末の概略構成を示す図である。
【図４】図１における携帯端末の画面例を示す図である。
【図５】モバイルＦＡＸアプリケーションによる画面例を示す図である。
【図６】モバイルＦＡＸアプリケーションによる画面例を示す図である。
【図７】モバイルＦＡＸアプリケーションによる画面例を示す図である。
【図８】モバイルＦＡＸアプリケーションによる画面例を示す図である。
【図９】ＭＦＰ及び携帯端末により実行される基本処理の手順を示すフローチャートである。
【図１０】図９におけるステップＳ１３０３の送信読取設定処理の手順を示すフローチャートである。
【図１１】図９におけるステップＳ１３１８のリクエスト応答処理の手順を示すフローチャートである。
【図１２】図９におけるステップＳ１３０９の原稿検知フラグチェック処理の手順を示すフローチャートである。
【図１３】図９におけるステップＳ１３２２の送信処理の手順を示すフローチャートである。
【図１４】図９におけるステップＳ１３２２の送信処理の手順を示すフローチャートである。
【図１５】図１４におけるステップＳ１８１５のオートリダイヤル処理の手順を示すフローチャートである。
【図１６】図９におけるステップＳ１３１３のステータスチェック処理の手順を示すフローチャートである。
【発明を実施するための形態】
【００１３】
以下、本発明の実施の形態について図面を参照しながら詳述する。
【００１４】
図１は、本発明の実施の形態に係る通信システム（画像処理システム）１００の概略構成を示す図である。
【００１５】
図１において、通信システム１００は、ＭＦＰ１０１、携帯端末１０２、及びＰＣ１０７で構成され、それらはネットワーク１０５により接続されている。携帯端末１０２は、ネットワーク１０５に設けられたアクセスポイント１０３により無線ＬＡＮ１０４でネットワーク１０５に接続している。
【００１６】
また、ＭＦＰ１０１は、ＮＦＣ（Near Field Communication）タグ１０６が設けられ、ＮＦＣ搭載機器との通信が可能となっている。さらに、ＭＦＰ１０１は公衆回線網１０８とのインタフェースも持ち、公衆回線網１０８を介して接続されたＦＡＸ装置１０９とＦＡＸ送受信が可能となっている。
【００１７】
本実施の形態では、無線ＬＡＮ１０４とネットワーク１０５を介してＭＦＰ１０１と携帯端末１０２とが互いに通信可能となっており、連携して動作するようになっている。
【００１８】
なお、図１において、ＭＦＰ１０１は、ネットワーク１０５に有線接続している形態となっているが、無線接続するようにしてもよい。この場合、アクセスポイント１０３によりネットワーク１０５に接続することとなる。
【００１９】
図２は、図１におけるＭＦＰ１０１の概略構成を示す図である。
【００２０】
図２において、ＭＦＰ１０１は、コントローラボード３００、スキャナ３０９、プリンタエンジン３０７、操作パネル３１２、及びＮＦＣアンテナ３１４で構成されている。
【００２１】
このうち、スキャナ３０９は原稿の読み取りを行い、プリンタエンジン３０７は、印刷データの用紙への印刷を行い、操作パネル３１２は、各種設定操作、及びアラーム等の表示を行う。
【００２２】
また、スキャナには原稿検知を行う原稿検知センサ３２０が接続されている。原稿検知センサ３２０は、圧板部（原稿台スキャナ部）とＡＤＦ（Auto Document Feeder）部とを備えている。
【００２３】
圧板部の場合、原稿台ガラスに原稿が置かれた場合に、原稿が置かれたことを検知して、スキャナ３０９へ通知する。ＡＤＦ部の場合、フィーダーに原稿が置かれた場合に、原稿が置かれたことを検知してスキャナ３０９へ通知する。
【００２４】
コントローラボード３００におけるＣＰＵ３０１はＭＦＰ１０１全体を制御する。ＲＯＭ３０３はブートＲＯＭであり、ＭＦＰ１０１のブートプログラムが記憶されている。
【００２５】
ＲＡＭ３０２は、ＣＰＵ３０１が動作するためのシステムワークメモリであり、ＣＰＵ３０１の演算データや各種プログラムが記憶される。またＲＡＭ３０２は、印刷時等に画像処理部３０５で種々の画像処理を施された画像データを記憶する画像メモリとしても利用される。
【００２６】
記憶装置３０４は、サイズの大きなプログラムやデータを記憶しておくための不揮発の２次記憶装置であり、記憶してあるサイズの大きなプログラムやデータはＲＡＭ３０２に展開して使用される。
【００２７】
スキャナインタフェース３０８は、スキャナ３０９とデータ通信を行うためのインタフェースである。エンジンインタフェース３０６は、プリンタエンジン３０７とデータ通信を行うためのインタフェースである。
【００２８】
ＦＡＸインタフェース３１８は、モジュラージャックを介し、公衆回線網１０８に接続され、ＦＡＸ装置１０９とＦＡＸ送受信を行う。
【００２９】
ネットワークインタフェース３１７は、ＬＡＮインタフェースコネクタを介し、ネットワーク１０５に接続し、ＰＣ１０７及び携帯端末１０２とネットワーク通信を行う。上述したように無線接続する場合には、無線ＬＡＮインタフェース３１０によりＰＣ１０７、アクセスポイント１０３、及び携帯端末１０２とネットワーク通信を行う。
【００３０】
ＵＳＢインタフェース３１５は、ＵＳＢコネクタを介し、他の装置とＵＳＢ通信を行う。図２では、ＰＣ３１６とローカル接続している。
【００３１】
ＮＦＣコントローラ３１３は、ＮＦＣアンテナ３１４を介し、ＮＦＣを搭載した携帯端末とＮＦＣ通信を行う。
【００３２】
以上説明したコントローラボード３００における各部及び操作パネル３１２は、バス３１９により接続されている。
【００３３】
図３は、図１における携帯端末１０２の概略構成を示す図である。
【００３４】
図３において、携帯端末１０２は、コントローラボード４００、表示部４０６、タッチパネル４０８、キー４０９、及びＮＦＣアンテナ４１４で構成される。
【００３５】
表示部４０６は、表示コントローラ４０５により各種表示が行われ、タッチパネル４０８、及びキー４０９は操作部コントローラ４０７により各種制御が行われる。ユーザは、表示部４０６に表示されるメニューやボタンに対して、タッチパネル４０８を指などでスライドやタッチをする事でメニューのスクロールやボタンの押下などの指示を与えることができる。
【００３６】
コントローラボード４００におけるＣＰＵ４０１は携帯端末１０２全体を制御する。ＲＯＭ４０３はブートＲＯＭであり、携帯端末１０２のブートプログラムが記憶されている。
【００３７】
ＲＡＭ４０２は、ＣＰＵ４０１が動作するためのシステムワークメモリであり、ＣＰＵ４０１の演算データや各種プログラムが記憶される。記憶装置４０４は、サイズの大きなプログラムやデータを記憶しておくための不揮発の２次記憶装置であり、記憶してあるサイズの大きなプログラムやデータはＲＡＭ４０２に展開して使用される。
【００３８】
無線ＬＡＮインタフェース４１０は、無線ＬＡＮアンテナ４１１を介し、無線ＬＡＮによりアクセスポイント１０３に接続し、外部との無線ＬＡＮ通信を行う。通話部４１２は、図示しないマイクやスピーカと接続され、公衆回線に接続し、電話としての機能を提供する。ＮＦＣコントローラ４１３は、ＮＦＣアンテナ４１４を介し、ＮＦＣを搭載した機器とＮＦＣ通信を行う。
【００３９】
なお、本実施の形態においては、携帯端末１０２の一例としてスマートフォンを用いて説明するが、スマートフォンに限らず、上述した構成のうちで通話部４１２を除いたタブレットなどの携帯可能な端末であっても本実施の形態を適用可能である。
【００４０】
図４は、図１における携帯端末１０２の画面例を示す図である。
【００４１】
図４（Ａ）は、電話帳アプリケーションの連絡先一覧画面を示す図である。電話帳アプリケーションには、電話番号、携帯電話番号、ＦＡＸ番号、メールアドレス等の情報を登録名称毎に登録することができる。
【００４２】
図４（Ａ）において、連絡先一覧画面５０１は、検索入力部５０２と、登録名称表示部５０３で構成されており、ユーザは登録名称を検索したり、一覧表示の中から選択したりできるようになっている。登録名称を選択すると、その登録名称で登録されている連絡先が一覧表示される。
【００４３】
図４（Ｂ）は、一覧表示例である。図４（Ｂ）において、登録名称６０１が高橋太郎であり、この登録名称に対して電話番号６０２、携帯電話番号６０３、ＦＡＸ番号６０４、メールアドレス携帯６０５、及びメールアドレス会社６０６が登録されている。
【００４４】
ユーザは、その中から連絡先を選択することができるようになっている。ＦＡＸ番号６０４を選択した場合は、モバイルＦＡＸアプリケーションが起動し、ＭＦＰ１０１と連携してＦＡＸ送信を行うことができるようになっている。
【００４５】
図４（Ｃ）は、ＭＦＰ連携アプリケーションのトップ画面を示す図である。
【００４６】
図４（Ｃ）に示されるトップ画面には、モバイルＦＡＸボタン７０１及びモバイルＳｃａｎボタン７０２とが表示されている。
【００４７】
本実施の形態では、携帯端末１０２とＭＦＰ１０１とが連携してＦＡＸ送信を行うモバイルＦＡＸアプリケーションについて説明する。
【００４８】
図５〜図８は、モバイルＦＡＸアプリケーションによる画面例を示す図である。
【００４９】
ユーザが、図４（Ｃ）に示す画面において、モバイルＦＡＸボタン７０１を押下すると、図５（Ａ）に示されるモバイルＦＡＸアプリケーションの設定画面が表示される。
【００５０】
この設定画面では、宛先など設定可能な項目が表示され、タッチパネルの操作で各項目を設定できるようになっている。
【００５１】
具体的には、宛先選択ボタン８０１、解像度設定ボタン８０２、濃度設定ボタン８０３、両面設定ボタン８０４、シャープネス設定ボタン８０５、及びその他詳細ボタン８０８が表示される。
【００５２】
このうち、宛先選択ボタン８０１を押下すると、図５（Ｂ）の宛先設定方法選択画面が表示され、これはユーザにより宛先設定方法を選択するための画面である。この画面において、電話帳参照ボタン８０７を選択すると、図４（Ａ）に示した電話帳アプリケーションの画面から宛先を選択することができる。また、番号を手入力で設定することも、履歴を参照して宛先選択することもできるようになっている。
【００５３】
図５（Ａ）に戻り、解像度設定ボタン８０２には、解像度の候補が表示され、変更したい場合にはボタンを押下することで別の候補も含めた画面に切り替わり、その中からユーザが解像度を選択することができる。
【００５４】
解像度を変更しない場合は、解像度設定ボタン８０２に表示されている設定値２００×１００ｄｐｉで設定される。解像度を変更した場合は、解像度設定ボタン８０２に変更した設定値が表示され、その設定値で設定される。
【００５５】
濃度設定ボタン８０３、両面設定ボタン８０４、及びシャープネス設定ボタン８０５も同様の操作で設定値を変更することができる。その他詳細ボタン８０８を押下した場合については後述する。
【００５６】
次へボタン８０６を押下することで、各項目が設定され、図５（Ｃ）に示される画面が表示される。
【００５７】
図５（Ｃ）は、ＭＦＰ選択画面を示す図である。この画面には次の処理へ進むメッセージの表示９０１と、処理を中止するためにキャンセルボタン９０２が表示される。
【００５８】
次の処理へ進むために、ＭＦＰ１０１のＮＦＣタグ１０６にユーザが携帯端末１０２をタッチすると、図５（Ｄ）に示される画面が表示される。
【００５９】
図５（Ｄ）は、アラーム表示画面を示す図である。この画面は、ＭＦＰ１０１と携帯端末１０２が連携するための準備を行っていることを示している。
【００６０】
次に、ＭＦＰ１０１と携帯端末１０２が連携する準備ができると、図６（Ａ）に示される画面が表示される。
【００６１】
図６（Ａ）は、原稿セット指示画面を示す図である。この画面は、原稿をセットするようにユーザに指示する画面である。この画面には、次の処理へ進むメッセージの表示１００１と、処理を中止するためにキャンセルボタン１００２が表示される。
【００６２】
ＭＦＰ１０１に原稿がセットされると、図６（Ｂ）に示される画面が表示される。
【００６３】
図６（Ｂ）は、スキャン開始の指示を受け付けるスキャン開始指示画面を示す図である。この画面には、次の処理へ進むメッセージの表示１１０１と、スキャン開始を指示するためのスキャン開始ボタン１１０２と、処理を中止するためにキャンセルボタン１１０３とが表示される。
【００６４】
この画面において、スキャン開始ボタン１１０２が押下されると、図６（Ｃ）に示される画面が表示される。
【００６５】
図６（Ｃ）は、ＭＦＰ１０１のステータスを示す画面である。この画面には、ＭＦＰ１０１のステータスを表すメッセージの表示１２０１と、送信の中止を指示するために送信中止ボタン１２０２とが表示される。
【００６６】
図５（Ａ）に戻り、その他詳細ボタン８０８を押下すると、図７（Ａ）に示される画面が表示される。図７（Ａ）は、その他詳細の設定として設定可能な項目を示す画面である。ここでは、表紙作成、ヘッダー作成、及びＥＣＭ送信を設定できる例を示している。
【００６７】
表紙作成ボタン８０９を選択すると、図７（Ｂ）に示される画面が表示される。図７（Ｂ）は、表紙作成モードを示す画面である。この画面により表紙作成の設定を行うことができるようになる。
【００６８】
一方、図７（Ａ）に示される画面において、ヘッダー作成ボタン８１０を選択すると、図８（Ｄ）に示される画面が表示される。図８（Ｄ）は、ヘッダー作成モードを画面である。この画面により、ヘッダー作成を設定することができるようになる。この図８（Ｄ）のヘッダー作成モードを画面の詳細については後述する。
【００６９】
さらに、図７（Ａ）に示される画面において、ＥＣＭ送信ボタンを選択すると、ＥＣＭ送信の有無を選択することもできるようになっている。
【００７０】
上記図７（Ｂ）に示される画面について説明する。上述したように、図７（Ｂ）に示される画面は表紙作成モードの画面であり、この例では初期設定で設定された状態が一覧できるようになっている。
【００７１】
ボタン１４０１を押下すると、図７（Ｃ）に示される画面が表示される。図７（Ｃ）は、初期設定を行うための画面である。この画面では、初期設定として、宛先、日付、件名、枚数、及び送信元の各項目の設定をすることができる。
【００７２】
宛先では、携帯端末１０２の電話帳に登録された情報のうち、どの情報を宛先として利用するかをボタン１４１０で選択することができる。具体的には、姓のみか、姓名か、さらには所属まで組み合わせて使うなどの中から選択することができる。
【００７３】
敬称では、様、殿、等の候補の中から用いる敬称をボタン１４１１で選択することができる。同報送信は、複数の送信先があるので、個人ごとにその人だけの宛先にするか、複数の送信先を連名で並べるかなどをボタン１４１２で選択することができる。
【００７４】
日付では、表示形式をボタン１４１３で選択することができる。件名では、手動入力か、定型の文言の中からボタン１４１４で選択できるようになっており、ここでは、定型の例として、ＦＡＸ文書としている。
【００７５】
枚数では、定型の文言の中からボタン１４１５で選択できるようになっており、ここでは、定型の例として、枚表紙含まずとしている。送信元設定では、携帯端末１０２の電話帳に登録された情報のうち、どの情報を送信元として利用するかをボタン１４１６で選択することができる。
【００７６】
携帯端末１０２の電話帳は、マイプロフィールとして携帯端末１０２を使用する本人に関する情報を登録できるようになっており、ここでは、マイプロフィールに登録された情報を参照して送信元情報として利用する。
【００７７】
送信元の情報は名前と連絡先を登録することができる。このうち、名前としては、姓のみ、または姓名に加えて所属まで組み合わせたものを使うか選択できる。また連絡先としては、いずれのＦＡＸ番号を使うか選択することができる。
【００７８】
また、連絡先として、ＦＡＸ番号だけでなく、電話番号や、メールアドレスを利用できるようにしてもよい。また、今回は１つのテンプレートに従い説明したが、言語として英語を用いるなどいろいろな種類のテンプレートに応用することも可能である。
【００７９】
ボタン１４１７が押下されると、画面に表示されている内容で設定を変更し、表紙作成モードの画面に戻る。ボタン１４１８が押下されると、各設定を変更せずに表紙作成モードの画面に戻る。このように、ファックスの表紙に関する設定は、表紙に記載する宛先設定、敬称設定、同報送信設定、日付設定、件名設定、枚数設定、及び送信元設定である。これら設定は例示列挙であり、例示したうちの少なくとも１つが設定可能であってもよいし、例示した以外の設定が可能であってもよい。
【００８０】
図７（Ｂ）の説明に戻り、ボタン１４０２からボタン１４０７は表紙設定の各項目を変更するためのボタンであり、初期設定で設定されたモードが確認できるようになっている。また、ボタン１４０９が押下されると、表紙作成が中止される。
【００８１】
例えば、枚数を設定するためのボタン１４０６を押下すると、枚数を手動入力する画面に切り替わり、ユーザが枚数を入力し、設定することができる。
【００８２】
その他の項目に関しても、手動入力することができるようになっており、この画面から自由に表紙を作成することができる。
【００８３】
ボタン１４０８が押下されると、表紙モード設定に従い、表紙データを作成し、図８（Ａ）、（Ｂ）、（Ｃ）に示される表紙確認画面が表示される。
【００８４】
図８（Ａ）、（Ｂ）、（Ｃ）は、表紙確認画面の一例であり、表紙モード設定に従った表紙が作成され、それをプレビュー２１０１，２１０２，２１０３のように表示する。
【００８５】
プレビュー２１０１は、図７（Ｂ）に示される設定での表示例を示している。また、プレビュー２１０２は、同報送信の設定を連名に変更した場合の表示例を示している。さらに、プレビュー２１０３は、送信元情報としてマイプロフィールに登録された所属情報まで組み合わせた際の表示例を示している。
【００８６】
図８（Ａ）、（Ｂ）、（Ｃ）において、ボタン２１０４が押下されると、表紙が作成される。図８（Ａ）、（Ｂ）、（Ｃ）において、ボタン２１０５が押下されると、表紙作成モードの画面に戻る。このように、表紙のプレビュー画像を表示部に表示するようになっている。
【００８７】
図８（Ｄ）は、ヘッダー作成モードを示す画面であり、ヘッダーの設定が確認できるようになっている。
【００８８】
図８（Ｄ）において、ボタン２００２を押下することで、マイプロフィールに登録された情報を参照して得られた候補の中から、ヘッダー情報として利用する情報を選択できるようになっている。
【００８９】
マイプロフィールを使わない場合は、ボタン２００１を押下することで、手動入力した情報をヘッダーとして利用することもできる。また、ヘッダー設定ボタン２００３を押下すると、ヘッダーとして、ＭＦＰのＦＡＸ番号をそのまま使うか、モバイルＦＡＸで作成したヘッダーを使うか、またはモバイルＦＡＸで作成したヘッダー情報を追加したヘッダーを使うかを選択することができる。
【００９０】
このように、ファックスのヘッダーに関する設定は、携帯端末を使用する本人に関する予め登録されている情報を利用するか否かの設定、ヘッダーとして画像形成装置のファックス番号を使うか否かの設定、ヘッダーとして携帯端末で作成したヘッダーを使うか否かの設定、及びヘッダーに携帯端末で作成した情報を追加するか否かの設定である。
【００９１】
ボタン２００４が押下されるとヘッダーを作成し、ボタン２００５が押下されるとヘッダー作成を中止する。
【００９２】
図９は、ＭＦＰ１０１及び携帯端末１０２により実行される基本処理の手順を示すフローチャートである。
【００９３】
図９における携帯端末１０２の処理Ｓ１３０１〜Ｓ１３１４は、図３に示したコントローラボード４００のＲＯＭ４０３、記憶装置４０４、ＲＡＭ４０２のいずれかに記憶されたプログラムに基づき、ＣＰＵ４０１によって実行される。
【００９４】
また、ＭＦＰ１０１の処理Ｓ１３１５〜Ｓ１３２３は、図２に示したコントローラボード３００のＲＯＭ３０３、記憶装置３０４、ＲＡＭ３０２のいずれかに記憶されたプログラムに基づき、ＣＰＵ３０１によって実行される。
【００９５】
まず、ＭＦＰ１０１は主電源がＯＮされると、コントローラボード３００のＲＯＭ３０３に記憶されたプログラムに基づきＣＰＵ３０１がＭＦＰ１０１を起動させる（ステップＳ１３１５）。
【００９６】
続いて、ＮＦＣタグ１０６に自機のネットワークのアドレスとしてＩＰアドレスを書き込む（ステップＳ１３１６）。具体的には、ＮＦＣコントローラ３１３内部に備わる不揮発性メモリＥＥＰＲＯＭなどに自機のＩＰアドレスを記憶する。
【００９７】
一方、携帯端末１０２では、モバイルＦＡＸを行うためにモバイルＦＡＸアプリケーションを起動する（ステップＳ１３０１）。
【００９８】
起動されたモバイルＦＡＸアプリケーションは、図５（Ａ）で示した設定画面を表示する。ここで宛先がユーザにより選択されることで宛先の設定がされ（ステップＳ１３０２）、送信や原稿読取設定が行われる（ステップＳ１３０３）。この送信読取設定処理の詳細については後述する。上記ステップＳ１３０２は、ファックスを送信する宛先を示す宛先情報を設定する宛先設定手段に対応する。
【００９９】
設定画面において次へボタン８０６が押下されると、図５（Ｃ）で示したＭＦＰ選択画面を表示する（ステップＳ１３０４）。図中の端子Ｂについては後述する。
【０１００】
次いで、携帯端末１０２のＮＦＣコントローラ４１３をリーダモードで起動させる（ステップＳ１３０５）。
【０１０１】
ユーザは原稿をスキャンしてＦＡＸ送信を行うＭＦＰ１０１を選択するため、携帯端末１０２をＭＦＰ１０１のＮＦＣタグ１０６に近づけることで、携帯端末１０２は、ＮＦＣの通信可能範囲内に入る。
【０１０２】
これにより、ＭＦＰ１０１は、近距離無線通信とは異なる、無線ＬＡＮ１０４とネットワーク１０５による通信を行うためのアドレスを転送することで提供し（ステップＳ１３１７）、携帯端末１０２はＮＦＣリーダでＭＦＰ１０１のＮＦＣタグ１０６から情報を取得する（ステップＳ１３０６）。上記ステップＳ１３１７は提供手段に対応する。
【０１０３】
そして、携帯端末１０２のＮＦＣコントローラ４１３で取得した情報からＭＦＰ１０１のＩＰアドレスを抽出する（ステップＳ１３０７）。上記ステップＳ１３０６，１３０７は、ユーザにより携帯端末が画像形成装置と近距離無線通信により通信が可能な範囲に近づけられた場合に、当該画像形成装置から、近距離無線通信によって近距離無線通信とは異なる通信を行うためのアドレスを取得する取得手段に対応する。そして、取得されたアドレスを用いて画像形成装置と通信する。
【０１０４】
携帯端末１０２は、抽出したＩＰアドレスにアクセスし、ＭＦＰ１０１に対してモバイルＦＡＸのリクエストを送信する（ステップＳ１３０８）。このとき、ＭＦＰ１０１が有線接続していれば、携帯端末１０２から無線ＬＡＮインタフェース４１０を介して、アクセスポイント１０３とネットワーク１０５を経由してＭＦＰ１０１へリクエストが送信される。上記ステップＳ１３０８は、画像形成装置にファックスを送信するリクエストを送信するリクエスト送信手段に対応する。
【０１０５】
一方、ＭＦＰ１０１が無線接続していれば、携帯端末１０２から無線ＬＡＮインタフェース４１０を介して、アクセスポイント１０３に送信され、受信したアクセスポイント１０３からＭＦＰ１０１にリクエストが送信される。
【０１０６】
リクエストを受信したＭＦＰ１０１は、リクエストに対して応答を携帯端末１０２へ返信するリクエスト応答処理を行う（ステップＳ１３１８）。このリクエスト応答処理の詳細については後述する。そして、ＭＦＰ１０１は、ＡＤＦ部、または圧板部に原稿がセットされると（ステップＳ１３１９でＹＥＳ）、原稿検知フラグをセットする（ステップＳ１３２０）。
【０１０７】
ＭＦＰ１０１からリクエストに対する応答を受信した携帯端末１０２は、原稿検知フラグがＭＦＰ１０１にセットされたか否かをチェックする原稿フラグチェック処理を行う（ステップＳ１３０９）。この原稿フラグチェック処理の詳細については後述する。
【０１０８】
ＭＦＰ１０１に原稿がセットされると、携帯端末１０２の表示部４０６に、図６（Ｂ）で示したスキャン開始指示画面を表示する（ステップＳ１３１０）。この画面でスキャン開始ボタン１１０２が押下されると（ステップＳ１３１１でＹＥＳ）、ＭＦＰ１０１にスキャン指示が送信される（ステップＳ１３１２）。このステップＳ１３１２は、画像形成装置に原稿がセットされたことを検知し、ユーザによりファックスを送信する指示（スキャン指示）を受け付けると、宛先情報と、表紙データまたはヘッダーデータとともに、原稿を読み取り、ファックスを送信する指示を画像形成装置に送信する指示送信手段に対応する。
【０１０９】
ＭＦＰ１０１はスキャン指示を受信すると（ステップＳ１３２１でＹＥＳ）、原稿をスキャンして、ＦＡＸ送信を行う送信処理を行う（ステップＳ１３２２）。この送信処理の詳細については後述する。その後、ＭＦＰ１０１は、送信処理の結果に応じて送信履歴を記憶し（ステップＳ１３２３）、本処理を終了する。
【０１１０】
一方、ＭＦＰ１０１にスキャン指示を送信した携帯端末１０２は、ＭＦＰ１０１が送信完了したか、エラーで終了したかのステータスをチェックするステータスチェック処理を行う（ステップＳ１３１３）。このステータスチェック処理の詳細については後述する。
【０１１１】
ステータスチェック処理の結果に応じて携帯端末１０２は、送信履歴を記憶し（ステップＳ１３１４）、本処理を終了する。
【０１１２】
図１０は、図９におけるステップＳ１３０３の送信読取設定処理の手順を示すフローチャートである。
【０１１３】
図１０において、図５（Ａ）のその他詳細ボタン８０８により設定可能なその他詳細設定があるか否か判別する（ステップＳ２２０１）。ステップＳ２２０１の判別の結果、その他詳細設定がない場合には（ステップＳ２２０１でＮＯ）、ステップＳ２２０４に進む。
【０１１４】
一方、ステップＳ２２０１の判別の結果、その他詳細設定がある場合には（ステップＳ２２０１でＹＥＳ）、ＥＣＭ送信が設定されているか否か判別する（ステップＳ２２０２）。
【０１１５】
ステップＳ２２０２の判別の結果、ＥＣＭ送信が設定されている場合には（ステップＳ２２０２でＹＥＳ）、ＥＣＭ送信を使う設定を行い（ステップＳ２２０３）、ステップＳ２２０４に進む。
【０１１６】
ステップＳ２２０２の判別の結果、ＥＣＭ送信が設定されていない場合には（ステップＳ２２０２でＮＯ）、表紙作成モードが選択されたか否か判別する（ステップＳ２２０５）。
【０１１７】
ステップＳ２２０５の判別の結果、表紙作成モードが選択された場合には（ステップＳ２２０５でＹＥＳ）、図７（Ｂ）で示した画面を表示して表紙作成モードを起動する（Ｓ２２０６）。
【０１１８】
表紙作成モードで設定可能な項目が設定され、ボタン１４０８が押下されると（ステップＳ２２０７でＹＥＳ）、設定に従い、表紙を作成し、図８（Ａ）、（Ｂ）、（Ｃ）で示したように、プレビューを表示する（ステップＳ２２０８）。
【０１１９】
次いで、図８（Ａ）、（Ｂ）、（Ｃ）の画面において、ボタン２１０４が押下されたか否か判別し（ステップＳ２２０９）、キャンセルするためのボタン２１０５が押下された場合には（ステップＳ２２０９でＮＯ）、ステップＳ２００６に戻る。
【０１２０】
一方、ボタン２１０４が押下された場合には（ステップＳ２２０９でＹＥＳ）、表紙データを作成し（ステップＳ２２１０）、ステップＳ２２０４に進む。このステップＳ２２１０は、ファックスの表紙に関する設定に従い、表紙を示す表紙データを作成する表紙作成手段に対応する。
【０１２１】
また、上記ステップＳ２２０７で、キャンセルするためのボタン１４０９を押下された場合には（ステップＳ２２０７でＮＯ、ステップＳ２２１１でＹＥＳ）、ステップＳ２２０４に進む。
【０１２２】
上記ステップＳ２２０５に戻り、ステップＳ２２０５の判別の結果、ヘッダー作成モードが選択された場合には（ステップＳ２２０５でＮＯ、ステップＳ２２１２でＹＥＳ）、図８（Ｄ）で示した画面を表示し、ヘッダー作成モードを起動する（ステップＳ２２１３）。
【０１２３】
ヘッダー作成モードで設定可能な項目が設定され、ボタン２００４が押下されると（ステップＳ２２１４でＹＥＳ）、設定に従い、ヘッダーデータを作成し（ステップＳ２２１５）、ステップＳ２２０４に進む。このステップＳ２２１５は、ファックスのヘッダーに関する設定に従い、前記ヘッダーを示すヘッダーデータを作成するヘッダー作成手段に対応する。
【０１２４】
ヘッダー作成モード中にキャンセルするためのボタン２００５を押下されると（ステップＳ２２１４でＮＯ、ステップＳ２２１６でＹＥＳ）、ヘッダー作成を中止して、ステップＳ２２０４に進む。
【０１２５】
また、上記ステップＳ２２１２でヘッダー作成モードが選択されなかった場合には（ステップＳ２２１２でＮＯ）、ステップＳ２２０４に進む。
【０１２６】
そして、解像度、濃度、両面、シャープネスの設定に応じた設定を行い（ステップＳ２２０４）、本処理を終了する。
【０１２７】
ここでの解像度は、読み取り解像度のことで、２００×２００ｄｐｉ（ファイン）など選択肢の中から選択するようになっている。濃度は、段階的に読み取り濃度を調整できるようになっている。両面は、原稿の両面読み取りをＯＦＦしたり、左右開き、上下開きを設定したりできるようになっている。シャープネスは原稿の画像のエッジをくっきりさせるか、コントラストを弱めるかを段階的に調整できるようになっている。ユーザはこれらの項目を原稿の特性や好みに応じて設定できるようになっている。
【０１２８】
図１１は、図９におけるステップＳ１３１８のリクエスト応答処理の手順を示すフローチャートである。
【０１２９】
図１１において、ＭＦＰ１０１がリクエストを受信すると（ステップＳ１７０１でＹＥＳ）、自機にＦＡＸ機能があるか否か判別する（ステップＳ１７０２）。上記ステップＳ１７０１は、ファックスを送信するリクエストを携帯端末から受信するリクエスト受信手段に対応する。
【０１３０】
ステップＳ１７０２の判別の結果、ＦＡＸ機能がある場合には（ステップＳ１７０２でＹＥＳ）、受信したリクエストに対する応答を返信する（ステップＳ１７０３）。応答を返信した後は、原稿検知センサ３２０で原稿がセットされたか否かの監視を開始して（ステップＳ１７０４）、本処理を終了する。
【０１３１】
一方、ステップＳ１７０２の判別の結果、自機にＦＡＸ機能がない場合には（ステップＳ１７０２でＮＯ）、モバイルＦＡＸ機能が無いことを示す情報を応答として携帯端末１０２へ返信して（ステップＳ１７０５）、図９で示した基本処理を終了する。
【０１３２】
以上説明したリクエスト応答処理でのステップＳ１７０３で単にモバイルＦＡＸのリクエストに対応可能であると応答するのではなく、自機のＦＡＸ送信に関する能力をリクエストの応答と合わせて返信するようにしてもよい。
【０１３３】
具体的には、自機で設定可能なＦＡＸ送信機能例えば、ＥＣＭ送信の有／無、解像度の選択肢、ＡＤＦ両面読取の可／否、などを携帯端末１０２へ返信する。
【０１３４】
また、ＭＦＰ１０１のＦＡＸ送信機能の情報を受け取った携帯端末１０２は、予めユーザが選択した設定内容と、ＭＦＰ１０１から受け取った設定可能な設定内容との比較を行う。
【０１３５】
ＭＦＰ１０１で設定できない項目が携帯端末１０２にて設定されていた場合は、ユーザに設定の変更を求めるメッセージを表示する。或いは、ユーザが設定した内容に一番近い設定へ自動で変更するとしてもよい。
【０１３６】
これにより、予め携帯端末１０２でユーザが設定した設定内容が実際にＦＡＸ送信するＭＦＰ１０１で設定できないケースをカバーすることができる。
【０１３７】
図１２は、図９におけるステップＳ１３０９の原稿検知フラグチェック処理の手順を示すフローチャートである。
【０１３８】
図１２において、ＭＦＰ１０１からリクエストに対する応答があったか否か判別する（ステップＳ１５０１）。ステップＳ１５０１の判別の結果、リクエストに対する応答があった場合には（ステップＳ１５０１でＹＥＳ）、ＭＦＰ１０１にＦＡＸ機能があるか否か判別する（ステップＳ１５０２）。
【０１３９】
ステップＳ１５０２の判別の結果、ＦＡＸ機能がない場合には（ステップＳ１５０２でＮＯ）、携帯端末１０２の表示部４０６に選択したＭＦＰにはＦＡＸ機能が無いメッセージを表示し（ステップＳ１５０９）、図９の端子Ｂに進む。
【０１４０】
一方、ステップＳ１５０２の判別の結果、ＦＡＸ機能がある場合には（ステップＳ１５０２でＹＥＳ）、携帯端末１０２の表示部４０６に、原稿をＭＦＰ１０１にセットするよう指示する図６（Ａ）で示したメッセージを表示する（ステップＳ１５０３）。このステップＳ１５０３は、リクエストが送信された画像形成装置からファックスの送信が可能であることが応答された場合に、画像形成装置へ原稿をセットするようにユーザに指示する内容を表示部４０６に表示する原稿セット指示表示手段に対応する。
【０１４１】
続いて、ＭＦＰ１０１に対して原稿検知フラグをチェックするために、その問い合わせを定期的に行う原稿検知フラグをポーリングする（ステップＳ１５０４）。そして、ポーリングに対して応答があったか否か判別する（ステップＳ１５０５）。
【０１４２】
ステップＳ１５０５の判別の結果、応答があった場合には（ステップＳ１５０５でＹＥＳ）、原稿検知フラグがセットされていたか否か判別する（ステップＳ１５０６）。
【０１４３】
ステップＳ１５０６の判別の結果、原稿検知フラグがセットされていない場合には（ステップＳ１５０６でＮＯ）、ステップＳ１５０４に戻る。
【０１４４】
一方、ステップＳ１５０６の判別の結果、原稿検知フラグがセットされていた場合には（ステップＳ１５０６でＹＥＳ）、携帯端末１０２の表示部４０６に原稿がセットされたことを示す図６（Ｂ）で示したメッセージを表示して（ステップＳ１５０７）、本処理を終了する。
【０１４５】
ステップＳ１５０５に戻り、ステップＳ１５０５の判別の結果、応答がない場合には（ステップＳ１５０５でＮＯ）、タイムアウトになったか否か判別する（ステップＳ１５１０）。ステップＳ１５１０の判別の結果、タイムアウトにはなっていない場合には（ステップＳ１５１０でＮＯ）、ステップＳ１５０５に戻る。
【０１４６】
一方、ステップＳ１５１０の判別の結果、タイムアウトになった場合には（ステップＳ１５１０でＹＥＳ）、ＭＦＰ１０１から応答のなかったことを表示し（ステップＳ１５１１）、図９で示した基本処理を終了する。
【０１４７】
ステップＳ１５０１に戻り、ステップＳ１５０１の判別の結果、応答がない場合には（ステップＳ１５０１でＮＯ）、タイムアウトになったか否か判別する（ステップＳ１５０８）。ステップＳ１５０８の判別の結果、タイムアウトにはなっていない場合には（ステップＳ１５０８でＮＯ）、ステップＳ１５０１に戻る。
【０１４８】
一方、ステップＳ１５０８の判別の結果、タイムアウトになった場合には（ステップＳ１５０８でＹＥＳ）、上記ステップＳ１５１１に進む。
【０１４９】
図１３、１４は、図９におけるステップＳ１３２２の送信処理の手順を示すフローチャートである。
【０１５０】
図１３において、ＭＦＰ１０１は宛先、送信設定、スキャン設定等の送信設定を受信し（ステップＳ１８０１）、それらを記憶する（ステップＳ１８０２）。
【０１５１】
次いで、表紙データがあるか否か判別する（ステップＳ１８２２）。ステップＳ１８２２の判別の結果、表紙データがある場合には（ステップＳ１８２２でＹＥＳ）、表紙データを記憶して（ステップＳ１８２３）、ステップＳ１８０３に進む。
【０１５２】
一方、ステップＳ１８２２の判別の結果、表紙データがない場合には（ステップＳ１８２２でＮＯ）、ヘッダーデータがあるか否か判別する（ステップＳ１８２４）。ステップＳ１８２４の判別の結果、ヘッダーデータがある場合には（ステップＳ１８２４でＹＥＳ）、ヘッダーデータを記憶して（ステップＳ１８２５）、ステップＳ１８０３に進む。
【０１５３】
一方、ステップＳ１８２４の判別の結果、ヘッダーデータがない場合には（ステップＳ１８２４でＮＯ）、そのままステップＳ１８０３に進む。上記ステップＳ１８０１，１８２２，１８２４は、ファックスを送信する宛先を示す宛先情報、ファックスの表紙データまたはファックスのヘッダーデータとともに、原稿を読み取り、ファックスを送信する指示を携帯端末から受信する指示受信手段に対応する。
【０１５４】
次いで、原稿がＡＤＦに置かれたか否か判別する（ステップＳ１８０３）。ステップＳ１８０３の判別の結果、原稿がＡＤＦに置かれた場合には（ステップＳ１８０３でＹＥＳ）、送信設定に従い、ＡＤＦスキャンを開始する（ステップＳ１８０４）。
【０１５５】
そしてスキャン処理を実行し（ステップＳ１８０５）、スキャンした画像データを１ページ分記憶する（ステップＳ１８０６）。上記ステップＳ１８０５の処理におけるＭＦＰ１０１のステータスは、スキャン中である。
【０１５６】
次いで、次ページがあるか否か判別する（ステップＳ１８０７）。ステップＳ１８０７の判別の結果、次ページがある場合には（ステップＳ１８０７でＹＥＳ）、ステップＳ１８０５に戻る。
【０１５７】
一方、ステップＳ１８０７の判別の結果、次ページがない場合には（ステップＳ１８０７でＮＯ）、表紙設定に応じた表紙データを生成し（ステップＳ１８２６）、図１４に進み、公衆回線をチェックする（ステップＳ１８０８）。
【０１５８】
そして、発呼可能か否か判別する（ステップＳ１８０９）。ステップＳ１８０９の判別の結果、発呼可能ではない場合には（ステップＳ１８０９でＮＯ）、ステップＳ１８０８に戻る。
【０１５９】
一方、ステップＳ１８０９の判別の結果、発呼可能な場合には（ステップＳ１８０９でＹＥＳ）、送信設定で指定された宛先に発呼し（ステップＳ１８１０）、ＦＡＸ送信を行う（ステップＳ１８１１）。上記ステップＳ１８１１の処理におけるＭＦＰ１０１のステータスは、送信中である。
【０１６０】
次いで、ＦＡＸ送信が正常終了したか否か判別する（ステップＳ１８１２）。ステップＳ１８１２の判別の結果、正常終了した場合には（ステップＳ１８１２でＹＥＳ）、送信完了とし（ステップＳ１８１３）、本処理を終了する。上記ステップＳ１８１３の処理におけるＭＦＰ１０１のステータスとして、送信完了が設定される。
【０１６１】
一方、ステップＳ１８１２の判別の結果、正常終了しなかった場合には（ステップＳ１８１２でＮＯ）、発呼先が話し中か否か判別する（ステップＳ１８１４）。ステップＳ１８１４の判別の結果、発呼先が話し中の場合には（ステップＳ１８１４でＹＥＳ）、再び発呼するオートリダイヤル処理を行い（ステップＳ１８１５）、本処理を終了する。
【０１６２】
一方、ステップＳ１８１４の判別の結果、発呼先が話し中ではない場合には（ステップＳ１８１４でＮＯ）、エラー終了し（ステップＳ１８１６）、本処理を終了する。上記ステップＳ１８１６の処理におけるＭＦＰ１０１のステータスとして、エラー終了が設定される。上記ステップＳ１８１３，１８１６は、ファックスの送信結果を示すステータスを設定するステータス設定手段に対応する。
【０１６３】
ステップＳ１８０３に戻り、ステップＳ１８０３の判別の結果、原稿がＡＤＦに置かれていない場合には（ステップＳ１８０３でＮＯ）、送信設定に従い、ＢＯＯＫスキャンを開始する（ステップＳ１８１７）。スキャン処理を実行し（ステップＳ１８１８）、スキャンした画像データを１ページ分を記憶する（ステップＳ１８１９）。上記ステップＳ１８０５，１８１８、１８１１は、ファックスを送信する指示に従って原稿を読み取り、宛先情報が示す宛先に原稿を示すファックスを、表紙データまたはヘッダーデータから生成されたデータとともに送信するファックス送信手段に対応する。
【０１６４】
１ページ分の記憶が完了すると、次の原稿の読み込みを指示する表示を行い（ステップＳ１８２０）、次ページがあるか否か判別する（ステップＳ１８２１）。
【０１６５】
ステップＳ１８２１の判別の結果、次ページがある場合には（ステップＳ１８２１でＹＥＳ）、ステップＳ１８１８に戻る。
【０１６６】
一方、ステップＳ１８２１の判別の結果、次ページがない場合には（ステップＳ１８２１でＮＯ）、ヘッダー設定に応じたヘッダーデータを生成し（ステップＳ１８２６）、上記ステップＳ１８０８に進む。
【０１６７】
図１５は、図１４におけるステップＳ１８１５のオートリダイヤル処理の手順を示すフローチャートである。
【０１６８】
図１５において、予め設定されているオートリダイヤル設定を読み出し（ステップＳ１９０１）、ステータスをリダイヤル待ちとし（ステップＳ１９０２）、リダイヤル待ち時間をセットする（ステップＳ１９０３）。
【０１６９】
待ち時間が経過したら（ステップＳ１９０４でＹＥＳ）、リダイヤル回数を１だけ増分し（ステップＳ１９０５）、公衆回線をチェックする（ステップＳ１９０６）。
【０１７０】
そして、発呼可能か否か判別する（ステップＳ１９０７）。ステップＳ１９０７の判別の結果、発呼可能ではない場合には（ステップＳ１９０７でＮＯ）、ステップＳ１９０６に戻る。
【０１７１】
一方、ステップＳ１９０７の判別の結果、発呼可能な場合には（ステップＳ１９０７でＹＥＳ）、送信設定で指定された宛先に発呼し（ステップＳ１９０８）、ＦＡＸ送信を行う（ステップＳ１９０９）。上記ステップＳ１９０９の処理におけるＭＦＰ１０１のステータスは、送信中である。
【０１７２】
次いで、ＦＡＸ送信が正常終了したか否か判別する（ステップＳ１９１０）。ステップＳ１９１０の判別の結果、正常終了した場合には（ステップＳ１９１０でＹＥＳ）、送信完了とし（ステップＳ１９１１）、本処理を終了する。上記ステップＳ１９１１の処理におけるＭＦＰ１０１のステータスは、送信完了である。
【０１７３】
一方、ステップＳ１９１０の判別の結果、正常終了しなかった場合には（ステップＳ１９１０でＮＯ）、発呼先が話し中か否か判別する（ステップＳ１９１２）。
【０１７４】
ステップＳ１９１２の判別の結果、発呼先が話し中ではない場合には（ステップＳ１９１２でＮＯ）、エラー終了し（ステップＳ１９１３）、本処理を終了する。上記ステップＳ１９１３の処理におけるＭＦＰ１０１のステータスは、エラー終了である。
【０１７５】
一方、ステップＳ１９１２の判別の結果、発呼先が話し中の場合には（ステップＳ１９１２でＹＥＳ）、リダイヤル回数が上限回数未満か否か判別する（ステップＳ１９１４）。
【０１７６】
ステップＳ１９１４の判別の結果、リダイヤル回数が上限回数未満の場合には（ステップＳ１９１４でＹＥＳ）、上記ステップＳ１９０２に戻る。
【０１７７】
一方、ステップＳ１９１４の判別の結果、リダイヤル回数が上限回数以上の場合には（ステップＳ１９１４でＮＯ）、上記ステップＳ１９１３に進む。
【０１７８】
図１６は、図９におけるステップＳ１３１３のステータスチェック処理の手順を示すフローチャートである。
【０１７９】
図１６において、ＭＦＰ１０１のステータスをチェックし（ステップＳ１６０１）、応答があったか否か判別する（ステップＳ１６０２）。
【０１８０】
ステップＳ１６０２の判別の結果、応答がない場合には（ステップＳ１６０２でＮＯ）、タイムアウトになったか否か判別する（ステップＳ１６０７）。ステップＳ１６０７の判別の結果、タイムアウトにはなっていない場合には（ステップＳ１６０７でＮＯ）、ステップＳ１６０２に戻る。
【０１８１】
一方、ステップＳ１６０７の判別の結果、タイムアウトになった場合には（ステップＳ１６０７でＹＥＳ）、端子Ａによって、図１２のステップＳ１５１１に進む。
【０１８２】
ステップＳ１６０２に戻り、ステップＳ１６０２の判別の結果、応答があった場合には（ステップＳ１６０２でＹＥＳ）、応答からステータスを取得する（ステップＳ１６０３）。
【０１８３】
次に取得したＭＦＰ１０１のステータスを携帯端末１０２の表示部４０６に表示する（ステップＳ１６０４）。具体的にはダイヤル中／ＦＡＸ送信中といったステータスを表示する。
【０１８４】
ＦＡＸ送信が完了したか否か判別する（ステップＳ１６０５）。ステップＳ１６０５の判別の結果、ＦＡＸ送信が完了した場合には（ステップＳ１６０５でＹＥＳ）、携帯端末１０２の表示部４０６にＦＡＸ送信が完了したことを表示して（ステップＳ１６０６）、本処理を終了する。
【０１８５】
一方、ステップＳ１６０５の判別の結果、ＦＡＸ送信が完了しなかった場合には（ステップＳ１６０５でＮＯ）、エラー終了したか否か判別する（ステップＳ１６０８）。ステップＳ１６０８の判別の結果、エラー終了していない場合には（ステップＳ１６０８でＮＯ）、ステップＳ１６０１に戻る。
【０１８６】
一方、ステップＳ１６０８の判別の結果、エラー終了した場合には（ステップＳ１６０８でＹＥＳ）、携帯端末１０２の表示部４０６にＦＡＸ送信がエラー終了ことを表示して（ステップＳ１６０９）、本処理を終了する。このステップＳ１６０６，１６０９は、画像形成装置によるファックスの送信結果を表示部４０６に表示する送信結果表示手段に対応する。
【０１８７】
このように、ステータスチェック処理では、画像形成装置から取得した送信結果を示すステータスに応じて送信結果を表示する。また、ステップＳ１６０７でＮＯとなり、ステータスを取得できない場合には、端子Ａにより図１２のステップＳ１５１１で画像形成装置からの応答が得られないことを表示する。
【０１８８】
本実施の形態によれば、携帯端末に登録された電話帳のプロフィール情報を用いてヘッダー情報を作成することもできるので、送信元のＭＦＰのデバイス情報だけでなく、ユーザの情報を付加してＦＡＸ送信することができる。
【０１８９】
また、表紙を作成して添付する場合も携帯端末に登録された電話帳のプロフィール情報を用いるので、簡単に間違いなくユーザの情報を入力することが出来る。
【０１９０】
以上説明したように、本実施の形態によれば、ファックスの表紙に関する設定に従い、表紙を示す表紙データを作成し（ステップＳ２２１０）、ファックスのヘッダーに関する設定に従い、ヘッダーを示すヘッダーデータを作成して（ステップＳ２２１５）ユーザによりファックスを送信する指示を受け付けると、宛先情報と、表紙データまたはヘッダーデータとともに、原稿を読み取り、ファックスを送信する指示を画像形成装置に送信するので（ステップＳ１３１２）、携帯端末で設定されたファックスの表紙やヘッダーで画像形成装置にファックスを送信させることが可能となる。
【０１９１】
（他の実施の形態）
本発明の目的は、上述した実施の形態で示したフローチャートの手順を実現するプログラムコードを記憶した記憶媒体から、システムあるいは装置のコンピュータまたはＣＰＵやＭＰＵが、そのプログラムコードを読出し実行することによっても達成される。
【０１９２】
この場合、記憶媒体から読み出されたプログラムコード自体が上述した実施形態の機能を実現することになる。そのため、このプログラムコード及びプログラムコードを記憶した記憶媒体も本発明の１つを構成することになる。
【０１９３】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１９４】
またコンピュータが読み出したプログラムコードの指示に基づきコンピュータ上で稼動しているＯＳオペレーティングシステムなどが実際の処理の一部または全部を行い、その処理によって上述した実施形態の機能が実現されてもよい。
【０１９５】
更に、記憶媒体から読出されたプログラムコードが、コンピュータに挿入された機能拡張ボードやコンピュータに接続された機能拡張ユニットに備わるメモリに書き込みまれる場合もある。その場合でも、そのプログラムコードの指示に基づき、その機能拡張ボードや機能拡張ユニットに備わるＣＰＵなどが実際の処理の一部または全部を行い、その処理によって上述した実施形態の機能が実現される。
【符号の説明】
【０１９６】
１００  通信システム（画像処理システム）
１０１  ＭＦＰ
１０２  携帯端末
１０３  アクセスポイント
１０４  無線ＬＡＮ
１０５  ネットワーク
１０６  ＮＦＣタグ
１０７  ＰＣ
１０８  公衆回線網
１０９  ＦＡＸ装置
【図１】
2020127226.tif 000003
【図２】
2020127226.tif 000004
【図３】
2020127226.tif 000005
【図４】
2020127226.tif 000006
【図５】
2020127226.tif 000007
【図６】
2020127226.tif 000008
【図７】
2020127226.tif 000009
【図８】
2020127226.tif 000010
【図９】
2020127226.tif 000011
【図１０】
2020127226.tif 000012
【図１１】
2020127226.tif 000013
【図１２】
2020127226.tif 000014
【図１３】
2020127226.tif 000015
【図１４】
2020127226.tif 000016
【図１５】
2020127226.tif 000017
【図１６】
2020127226.tif 000018